【事件の表示】
　特願２０１４−４０１１１号「人工水晶の製造方法」拒絶査定不服審判事件〔平成２７年９月１７日出願公開、特開２０１５−１６４８８４号、請求項の数（１）〕について、次のとおり審決する。
【結　論】
　原査定を取り消す。
　本願の発明は、特許すべきものとする。
【理　由】
第１　手続の経緯　　
　本願は、平成２６年３月３日の出願であって、平成２９年７月２０日付け拒絶理由通知書に対して同年９月２２日付け意見書及び手続補正書が提出されたが、同年１２月２８日付けで拒絶査定がなされ、これに対して、平成３０年４月９日付けで拒絶査定不服審判が請求されると同時に手続補正書が提出されたものである。　
　　　
第２　本願発明　
　本願発明は、平成３０年４月９日付けの手続補正で補正された特許請求の範囲の請求項１に記載された事項により特定される、次のとおりのものである（以下、「本願発明」という。）。　
　「圧力容器内に高温部と低温部を設け、前記高温部でアルカリ溶液中に溶解した水晶原料を、前記低温部の支持具に配置された種水晶上に結晶として析出させる、人工水晶の製造方法において、
　前記種水晶は、結晶軸のＹ軸方向を長辺、結晶軸のＸ軸方向を短辺、結晶軸のＺ軸方向を厚みとした板状のＺ板であり、
　＋Ｘ軸方向が重力方向と逆となる状態で前記長辺を上にして前記種水晶を前記支持具に固定し、
　前記種水晶に析出される＋Ｘ領域中に、前記アルカリ溶液中を前記重力方向に沈降する異物を取り込む、
　ことを特徴とする人工水晶の製造方法。」　
　　　
第３　原査定の拒絶の理由の概要
　原査定の拒絶の理由は、「この出願については、平成２９年７月２０日付け拒絶理由通知書に記載した理由２によって、拒絶をすべきものです。」というものであり、その理由２の概要は、以下のものである。
「本願発明は、その出願前に日本国内又は外国において、頒布された下記１又は２の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」
「１　特開２００２−１３７９９９号公報　
　２　特開２００４−１７５５９０号公報　」　　
　　　
第４　当審の判断　
１　特開２００２−１３７９９９号公報（以下、「引用例１」という。）に基く拒絶の理由２について
（１）引用例１の記載事項　
　引用例１には、以下の記載がある。
（引用例１−１）「【請求項２】
高圧容器内に
アルカリ溶液と水晶原料とを充填し高温高圧下で人工水晶を育成する水熱育成法において、該水晶種子結晶のＸ軸方向
が鉛直方向となるように吊る
人工水晶の合成方法。
　
（引用例１−２）「【００１６】
圧力容器の上部温度、すなわち、水晶種子結晶圏の温度を３００〜４００℃に設定する。
一方、圧力容器の下部温度、すなわち、水晶供給圏の温度は上部温度より３０〜５０℃高い温度となるように温度勾配をつけて温度を設定する。
　
（引用例１−３）「【００２４】実施例１
結晶育成装置は、図４に示す構成を有する装置と同等のものを使用した。水晶種子結晶は、
図１（ａ）に示すようにｙ方向に長い、水晶のＺカット面を表面とする基板を種子結晶として使用し、図３（ａ）に示すようにこの水晶種子結晶のＹ軸方向が鉛直方向となるように吊した。
　
（引用例１−４）「【００２５】実施例２
水晶種子結晶として図２（ａ）に示したｘ方向に長いものを使用し、図３（ｂ）に示すようにこの水晶種子結晶のＸ軸方向が鉛直方向となるように吊るした以外は実施例１と同様の条件にて人工水晶を合成した。実施例１と同様に水晶種子結晶基板のＺカット面の表面上に垂直に起立した多数の糸のような石英の針状単結晶の集合体が成長した。
　
（引用例１−５）「【図２】
　　　　　　　　　　　　　　　　                     
　
　　　　　　　　　　　　　　　　　　　　　　　　　　　　　　　　」
　
（引用例１−６）「【図３】
　
　　　　　　　　　　　　　　　　　　　　　　　　　　　　　　」
　　
（２）引用例１に記載された発明
（ア）上記（引用例１−１）からして、引用例１には、「高圧容器内にアルカリ溶液と水晶原料とを充填し高温高圧下で人工水晶を育成する水熱育成法において、該水晶種子結晶のＸ軸方向が鉛直方向となるように吊るす、人工水晶の合成方法」が記載されているということができる。
　
（イ）上記（引用例１−２）からして、引用例１には、上記合成方法において、「圧力容器の下部温度（水晶供給圏の温度）を、圧力容器の上部温度（水晶種子結晶圏）より３０〜５０℃高い温度となるように温度勾配をつけて温度を設定する」ことが記載されているということができる。
　
（ウ）上記（引用例１−４）からして、引用例１には、上記合成方法において、「水晶種子結晶として図２（ａ）に示したｘ方向に長いものを、図３（ｂ）に示すようにこの水晶種子結晶のＸ軸方向が鉛直方向となるように吊るし、水晶種子結晶基板のＺカット面の表面上に垂直に起立した多数の糸のような石英の針状単結晶の集合体を成長させる」ことが実施例２として記載されているということができる。
　
（エ）上記（引用例１−５）及び（引用例１−６）からして、引用例１（【図２】（ａ）及び【図３】（ｂ））には、実施例２において、「水晶種子結晶は、結晶軸のＹ軸方向を短辺、結晶軸のＸ軸方向を長辺、結晶軸のＺ軸方向を厚みとするものである」ことが記載されているということができる。
　
（オ）上記（引用例１−６）からして、引用例１（【図３】（ｂ））には、実施例２において、「水晶種子結晶の短辺（結晶軸のＹ軸方向）が上になるように吊るす」ことが記載されているということができる。
　
　上記（ア）ないし（オ）より、引用例１には、
「圧力容器の下部温度（水晶供給圏の温度）を、圧力容器の上部温度（水晶種子結晶圏）より３０〜５０℃高い温度となるように温度勾配をつけて温度を設定し、圧力容器内にアルカリ溶液と水晶原料とを充填し高温高圧下で、基板のＺカット面の表面上に垂直に起立した多数の糸のような石英の針状単結晶の集合体を成長させる（人工水晶を育成する）合成方法において、水晶種子結晶は、結晶軸のＹ軸方向を短辺、結晶軸のＸ軸方向を長辺、結晶軸のＺ軸方向を厚みとするものであり、水晶種子結晶としてｘ方向に長いものを、この水晶種子結晶のＸ軸方向が鉛直方向となり、短辺（結晶軸のＹ軸方向）が上になるように吊るす、人工水晶を育成する合成方法。」（以下、「引用発明１」という。）が記載されているものと認める。
　
（３）対比・判断
○引用発明１の「水晶供給圏」、「水晶種子結晶圏」、「鉛直方向」、「人工水晶を育成する合成方法」は、本願発明の「高温部」、「低温部」、「重力方向」、「人工水晶の製造方法」にそれぞれ相当する。
　
○引用発明１の「水晶種子結晶」は、本願発明の「種水晶」及び「板」に相当する。        
　
○引用発明１の「水晶種子結晶」「を」「吊るす」は、本願発明の「種水晶を支持具に固定する」に相当する。
　
○したがって、引用発明１の「圧力容器の下部温度（水晶供給圏の温度）を、圧力容器の上部温度（水晶種子結晶圏）より３０〜５０℃高い温度となるように温度勾配をつけて温度を設定し、圧力容器内にアルカリ溶液と水晶原料とを充填し高温高圧下で、基板のＺカット面の表面上に垂直に起立した多数の糸のような石英の針状単結晶の集合体を成長させる（人工水晶を育成する）合成方法」は、本願発明の「圧力容器内に高温部と低温部を設け、高温部でアルカリ溶液中に溶解した水晶原料を、低温部の支持具に配置された種水晶上に結晶として析出させる、人工水晶の製造方法」に相当する。
　
○また、引用発明１の「水晶種子結晶は、」「結晶軸のＺ軸方向を厚みにするものであり」は、本願発明の「種水晶は、」「結晶軸のＺ軸方向を厚みとした板状のＺ板であり」に相当する。
　
　上記より、本願発明と引用発明１とは、
「圧力容器内に高温部と低温部を設け、高温部でアルカリ溶液中に溶解した水晶原料を、低温部の支持具に配置された種水晶上に結晶として析出させる、人工水晶の製造方法において、種水晶は、結晶軸のＺ軸方向を厚みとした板状のＺ板であり、種水晶を支持具に固定した、人工水晶の製造方法。」という点で一致し、以下の点で相違している。
＜相違点＞
　本願発明は、「結晶軸のＹ軸方向を長辺」とし、「＋Ｘ軸方向が重力方向と逆となる状態で長辺を上にし」た種水晶を用いて、「種水晶に析出される＋Ｘ領域中に、アルカリ溶液中を重力方向に沈降する異物を取り込む」のに対して、引用発明１は、「結晶軸のＹ軸方向を短辺」とし、「Ｘ軸方向が重力方向となる状態で短辺を上にし」た水晶種子結晶（種水晶）用いて、水晶種子結晶に結晶を析出させる点。
　
　以下、＜相違点＞について検討する。
　上記（引用例１−３）及び（引用例１−６）からして、引用例１には、実施例１として、図３（ａ）に示すように、ｙ方向に長い（Ｙ軸方向が長辺である）水晶種結晶を用いる際には、鉛直方向（重力方向）をＹ軸方向とする態様が記載されている。してみると、引用発明１において、「結晶軸のＹ軸方向を長辺」としたとき、「＋Ｘ軸方向が重力方向と逆になる」ようにすることは、引用例１に記載の事項から、当業者が容易に想起し得ることであるとはいえない。
　さらに、本願の発明の詳細な説明の「（３）＋Ｘ軸方向が重力方向Ｇと逆となる状態（＋Ｘ軸方向が上となる状態）で種水晶１０を支持具３０に固定した場合は、＋Ｘ軸方向が重力方向Ｇと同一となる状態（−Ｘ軸方向が上となる状態）に比べて、クラック等の発生を低減できるので、歩留りを向上できる。その理由は、＋Ｘ領域２０+xは、−Ｘ領域２０-xに比べて、成長が速いことにより取り込む異物４８の密度が低くなるので、クラック等が発生しにくいからである。」（【００３８】）という作用効果についても、引用例１に記載の事項から、当業者が予測することはできないというべきである。
　したがって、本願発明は、引用例１に記載の発明に基いて当業者が容易に発明をすることができたものであるとはいえない。
　
２　特開２００４−１７５５９０号公報（以下、「引用例２」という。）に基づく拒絶の理由について　
（１）引用例２の記載事項　
　引用例２には、以下の記載がある。
（引用例２−１）「【０００３】
一般に人工水晶はオートクレーブと呼ばれる耐圧容器を炭酸ナトリウム、水酸化ナトリウム等の
アルカリ水溶液で充填した容器内で、高温高圧状態下において
高温部で溶解した水晶原料が低温部で過飽和溶液になり、水晶の種結晶上に結晶を析出することを利用した結晶成長方法
　
（引用例２−２）「【００２３】
上記種結晶の配置は、通常主面が重力方向と平行なところ、図３のように斜めに傾けた。この方法で育成すると、
上片面に多く異物が付着する
結果となった。
　
（引用例２−３）「【００２５】
本実施調査例の結果を説明する。まず始めに
Ｘ線トポグラフィーによる観察結果を図４に示す。サンプルは成長した水晶をＹ軸と垂直に切断したものを使用した。
　
（引用例２−４）「【００２６】
図４に種結晶、種結晶中の＋Ｘ領域、Ｓ領域、Ｚ領域、−Ｘ領域、成長部の＋Ｘ領域、Ｓ領域、−Ｘ領域、Ｚ領域を示した。図４において、
種結晶より向かって左側が斜めに吊るした時の上片面（丸で囲み上と表示）、右側が下片面（丸で囲み下と表示）になる。図４より、上片面の種表面に異物が多く付着していることがわかる。
　
（引用例２−５）「【図３】
　
　
　　　　　　　　　　　　　　　　　　　　　　　　　　　　 」
　
（引用例２−６）「【図４】
　
　　　　　　　　　　　　　　　　　　　　　　　　　」
　　　　　
（２）引用例２に記載された発明
（ア）上記（引用例２−１）からして、引用例２には、「アルカリ水溶液で充填した容器内で、高温高圧状態下において、高温部で溶解した水晶原料が低温部で過飽和溶液になり、水晶の種結晶上に結晶を析出することを利用した結晶成長方法」が記載されているということができる。
　
（イ）上記（引用例２−２）及び（引用例２−５）（【図３】）からして、引用例２には、上記結晶成長方法において、「水晶の種結晶を傾けたとき、重力方向に平行な主面が上片面となり、ここに多くの異物が付着する」ことが記載されているということができる。
　
（ウ）上記（引用例２−３）、（引用例２−４）及び（引用例２−６）（【図４】）からして、引用例２には、上記結晶成長方法において、「水晶の種結晶を斜めに吊したとき、Ｙ軸に平行な種結晶の（左側の）Ｚ領域が上片面となり、ここに異物が多く付着する」ことが記載されているということができる。
　
（エ）上記（イ）及び（ウ）からして、引用例２には、「Ｙ軸が重力方向である水晶の種結晶を斜めに吊したとき、これのＺ領域に異物が多く付着する」ことが開示されているということができる。
　
　上記（ア）ないし（エ）より、引用例２には、
「アルカリ水溶液で充填した容器内で、高温高圧状態下において、高温部で溶解した水晶原料が低温部で過飽和溶液になり、水晶の種結晶上に結晶を析出することを利用した結晶成長方法において、Ｙ軸が重力方向である水晶の種結晶を斜めに吊したとき、これのＺ領域に異物が多く付着する、結晶成長方法。」（以下、「引用発明２」という。）が記載されているものと認める。
　
（３）対比・判断
　本願発明と引用発明２とを対比すると、本願発明は、「Ｘ軸」が「重力方向」である種水晶の＋Ｘ領域に異物が多く付着する（異物が取り込まれる）ものであるのに対して、引用発明２は、「Ｙ軸」が「重力方向」である水晶の種結晶（種水晶）のＺ領域に異物が多く付着する（異物を取り込む）ものであることからして、両者は、その構成も目的も異なるものであるので、他に検討するまでもなく、引用発明２は、そもそも、本願発明を導き出すベースにはなり得ないものである、というべきである。
　したがって、本願発明は、引用例２記載の発明に基いて当業者が容易に発明をすることができたものではない。
      
第５　むすび　
　以上のとおり、原査定の理由によっては、本願を拒絶することはできない。　
　また、他に本願を拒絶すべき理由を発見しない。　
　よって、結論のとおり審決する。